(57)【要約】【課題】複数の表示部を備え、各表示部の動作を遠隔制御装置により制御する表示装置、コンピュータプログラム及び記録媒体の提供。【解決手段】複数のディスプレイを備えたマルチディスプレイ装置は、各ディスプレイにおいて、自身の受光部で受信したリモコン信号の信号強度を算出すると共に、他のディスプレイにて受信したリモコン信号の信号強度を取得し、自身の受光部にて受信したリモコン信号の信号強度が、他のディスプレイの信号強度の何れよりも高いか否かを判定する。マルチディスプレイ装置は、最も高い信号強度が得られたディスプレイに対し、表示の調整を行うための設定画面を表示する。【選択図】図２
2013130646.tif 000002
【特許請求の範囲】
【請求項１】
複数の表示部を備え、各表示部の動作を遠隔制御装置により制御可能になした表示装置において、
各表示部は、
遠隔制御装置から送信される制御信号を受信する受信手段と、
前記制御信号の信号強度を算出する手段と、
他の表示部が算出した制御信号の信号強度を取得する手段と、
算出した信号強度と他の表示部から取得した制御信号の信号強度との間の高低を比較し、算出した信号強度が、他の表示部から取得した何れの制御信号の信号強度よりも高いか否かを判定する判定手段と、
該判定手段による判定結果を出力する手段と
を備え、
各表示部から出力される判定結果に基づき、表示の調整に係る設定を受付けるための設定画面を、制御信号の信号強度が最も高いと判定した表示部に表示することを特徴とする表示装置。
【請求項２】
制御信号の信号強度が最も高いと判定した表示部の次に最も高い信号強度を有する表示部を特定し、制御信号の信号強度が最も高いと判定した表示部が備える受信手段と特定した表示部が備える受信手段との間に存在する表示部に対して、前記設定画面を表示することを特徴とする請求項１に記載の表示装置。
【請求項３】
前記設定画面を表示する表示部が受信した制御信号の信号強度を所定値と比較し、前記制御信号の信号強度が前記所定値より低い場合、設定画面を拡大表示することを特徴とする請求項１又は請求項２に記載の表示装置。
【請求項４】
表示の調整対象とする表示部を設定可能になしてあり、
調整対象の表示部と前記設定画面を表示する表示部とが異なる場合、調整対象の表示部には、他の表示部と区別させるための表示を行うことを特徴とする請求項１から請求項３の何れか１つに記載の表示装置。
【請求項５】
複数の表示部を備え、各表示部の動作を遠隔制御装置により制御可能になした表示装置において、
遠隔制御装置から送信される制御信号を受信する受信手段と、
前記制御信号の信号強度を算出する手段と、
制御信号の信号強度と表示の調整に係る設定を受付けるための設定画面を表示させるべき表示部との関係を定めたテーブルと
を備え、
前記テーブルを参照し、算出した信号強度に基づいて前記設定画面を表示させるべき表示部を特定し、特定した表示部に前記設定画面を表示することを特徴とする表示装置。
【請求項６】
複数の表示部を備え、各表示部の動作を遠隔制御装置により制御可能になした表示装置において、
遠隔制御装置から送信される制御信号を受信する複数の受信手段と、
各受信手段にて受信した制御信号の信号強度を算出する手段と、
算出した夫々の信号強度の高低を判定する手段と、
該手段による判定結果に基づいて、表示の調整に係る設定を受付けるための設定画面を表示させるべき表示部を特定する手段と
を備え、
特定した表示部に前記設定画面を表示することを特徴とする表示装置。
【請求項７】
複数の表示部の動作を制御するコンピュータに実行させるコンピュータプログラムにおいて、
前記コンピュータに、
各表示部に入力された制御信号の信号強度を算出させるステップと、
一の表示部にて算出した信号強度と他の表示部にて算出した信号強度との間の高低を比較させ、一の表示部にて算出した信号強度が、他の表示部にて算出した何れの信号強度よりも高いか否かを判定させるステップと、
該ステップでの判定結果に基づき、表示の調整に係る設定を受付けるための設定画面を、制御信号の信号強度が最も高いと判定した表示部に表示させるステップと
を実行させるためのコンピュータプログラム。
【請求項８】
請求項７に記載のコンピュータプログラムが記録されていることを特徴とするコンピュータでの読み取りが可能な記録媒体。
【発明の詳細な説明】
【技術分野】
【０００１】
本発明は、複数の表示部を備え、各表示部の動作を遠隔制御装置により制御する表示装置、コンピュータプログラム及び記録媒体に関する。
【背景技術】
【０００２】
従来、複数のディスプレイを組み合わせてより大画面のディスプレイを構成したマルチディスプレイ装置が知られている。このマルチディスプレイ装置では、夫々のディスプレイが１つの画像の一部を表示することにより、複数のディスプレイで構成した大画面のディスプレイに１つの大画像を表示することを可能にしている。マルチディスプレイ装置は、例えば、店舗又は公共スペース等に設置されて不特定の視聴者に各種の情報を提供する情報ディスプレイに利用されている。このように、複数のディスプレイを組み合わせて大画面のディスプレイを構成する場合、各々のディスプレイを個別に認識し、全体としてムラが生じないように、各々ディスプレイの輝度や色合いを調整する必要がある。
【０００３】
マルチディスプレイ装置において、各ディスプレイの配置位置を認識するものとして、例えば、特許文献１に開示されている技術が存在する。この特許文献１では、ＯＳＤ処理部（OSD : On Screen Display）及び表示処理部により構成される表示制御部が、個数情報及び位置情報に基づいて、マルチディスプレイ装置の構成図を表示部に表示させる。また、マルチディスプレイ装置が表示する構成図には、画像表示装置の配置位置が示されるため、画像表示装置が、マルチディスプレイ装置において、どの位置に配置されているかを視覚的に視認し易くなる。
【先行技術文献】
【特許文献】
【０００４】
【特許文献１】特開２００５−１３４７０５号公報
【発明の概要】
【発明が解決しようとする課題】
【０００５】
しかしながら、ＯＳＤは、自然数の２乗のディスプレイ数でマルチディスプレイ装置を構成することを主眼に置いているため、例えば、垂直ディスプレイ数１×水平ディスプレイ数１０といった横長、あるいは、垂直ディスプレイ数１０×水平ディスプレイ数１といった縦長構成図を考えた場合、特許文献１で開示されているようなＯＳＤには収まりきらないため、視覚的に視認し易いとは言えない。
【０００６】
また、垂直ディスプレイ数ｍ×水平ディスプレイ数ｎといった平面で構成されている場合には、その構成図が視認しやすいとも考えられるが、ｍ×ｎが数面で構成される場合（例えば、ユーザからみて、正面だけではなく、床面、天井、左右などに配置されるといったキューブ構成の場合）、特許文献１に開示されているＯＳＤ表示方法では、ユーザからＯＳＤ自体を視認するのが困難であるため、その中に記載されている構成図から、調整対象のディスプレイの位置を特定することは困難となる。
【０００７】
さらに、ｍ×ｎの構成数が大きくなると、上段のディスプレイの高さは高くなり、特許文献１に記載のユーザインタフェース（操作ボタン）では、操作するのが容易ではない。また、左端のディスプレイと右端のディスプレイとの距離は相当大きくなるため、ユーザが１つ１つディスプレイを調整するために要する時間が長大になるという問題点を有している。
【０００８】
本発明は、斯かる事情に鑑みてなされたものであり、マルチディスプレイ装置におけるディスプレイの構成数が大きくなった場合であっても、各ディスプレイに対する設定を行う際のユーザの操作負担を軽減することができる表示装置、コンピュータプログラム及び記録媒体を提供することを目的とする。
【課題を解決するための手段】
【０００９】
本発明に係る表示装置は、複数の表示部を備え、各表示部の動作を遠隔制御装置により制御可能になした表示装置において、各表示部は、遠隔制御装置から送信される制御信号を受信する受信手段と、前記制御信号の信号強度を算出する手段と、他の表示部が算出した制御信号の信号強度を取得する手段と、算出した信号強度と他の表示部から取得した制御信号の信号強度との間の高低を比較し、算出した信号強度が、他の表示部から取得した何れの制御信号の信号強度よりも高いか否かを判定する判定手段と、該判定手段による判定結果を出力する手段とを備え、各表示部から出力される判定結果に基づき、表示の調整に係る設定を受付けるための設定画面を、制御信号の信号強度が最も高いと判定した表示部に表示することを特徴とする。
【００１０】
本発明では、ユーザが特に意識することなく、マルチディスプレイ装置の各種設定を行う画面が、ユーザに近い表示部（ディスプレイ）に表示されるため、設定操作が容易となる。また、遠隔制御装置から発信される制御信号の強度（Ａ／Ｄ変換値）によって、ユーザに近いディスプレイを決定するため、カメラ、測距センサ等によってユーザ位置を検出する必要がなく、装置構成が単純化される。
【００１１】
本発明に係る表示装置は、制御信号の信号強度が最も高いと判定した表示部の次に最も高い信号強度を有する表示部を特定し、制御信号の信号強度が最も高いと判定した表示部が備える受信手段と特定した表示部が備える受信手段との間に存在する表示部に対して、前記設定画面を表示することを特徴とする。
【００１２】
本発明によれば、制御信号の強度（Ａ／Ｄ変換値）の順位を判定に使用することにより、ユーザの前のディスプレイを検出する精度が向上する。
【００１３】
本発明に係る表示装置は、前記設定画面を表示する表示部が受信した制御信号の信号強度を所定値と比較し、前記制御信号の信号強度が前記所定値より低い場合、設定画面を拡大表示することを特徴とする。
【００１４】
本発明によれば、ユーザがディスプレイから離れた位置で操作している場合は、設定画面を自動的に拡大表示するため、表示内容の視認性が向上する。
【００１５】
本発明に係る表示装置は、表示の調整対象とする表示部を設定可能になしてあり、調整対象の表示部と前記設定画面を表示する表示部とが異なる場合、調整対象の表示部には、他の表示部と区別させるための表示を行うことを特徴とする。
【００１６】
本発明によれば、ユーザが目の前のディスプレイに表示された設定画面で各項目を設定している間も、設定対象のディスプレイに現在設定中である旨を表示することにより、ユーザはどのマルチディスプレイシステムを構成するどのディスプレイを設定中であるのかを簡単に認識することができる。
【００１７】
本発明に係る表示装置は、複数の表示部を備え、各表示部の動作を遠隔制御装置により制御可能になした表示装置において、遠隔制御装置から送信される制御信号を受信する受信手段と、前記制御信号の信号強度を算出する手段と、制御信号の信号強度と表示の調整に係る設定を受付けるための設定画面を表示させるべき表示部との関係を定めたテーブルとを備え、前記テーブルを参照し、算出した信号強度に基づいて前記設定画面を表示させるべき表示部を特定し、特定した表示部に前記設定画面を表示することを特徴とする。
【００１８】
本発明では、ユーザが特に意識することなく、マルチディスプレイ装置の各種設定を行う設定画面が、ユーザに近いディスプレイ（表示部）に表示されるため、設定操作が容易となる。また、表示装置全体に対して、１つの受信手段を設ける構成であるため、装置構成が簡略化される。
【００１９】
本発明に係る表示装置は、複数の表示部を備え、各表示部の動作を遠隔制御装置により制御可能になした表示装置において、遠隔制御装置から送信される制御信号を受信する複数の受信手段と、各受信手段にて受信した制御信号の信号強度を算出する手段と、算出した夫々の信号強度の高低を判定する手段と、該手段による判定結果に基づいて、表示の調整に係る設定を受付けるための設定画面を表示させるべき表示部を特定する手段とを備え、特定した表示部に前記設定画面を表示することを特徴とする。
【００２０】
本発明では、ユーザが特に意識することなく、マルチディスプレイ装置の各種設定を行う設定画面が、ユーザに近いディスプレイ（表示部）に表示されるため、設定操作が容易となる。また、表示装置の各表示部が受信手段を備える必要がないので、装置構成が簡略化される。
【００２１】
本発明に係るコンピュータプログラムは、複数の表示部の動作を制御するコンピュータに実行させるコンピュータプログラムにおいて、前記コンピュータに、各表示部に入力された制御信号の信号強度を算出させるステップと、一の表示部にて算出した信号強度と他の表示部にて算出した信号強度との間の高低を比較させ、一の表示部にて算出した信号強度が、他の表示部にて算出した何れの信号強度よりも高いか否かを判定させるステップと、該ステップでの判定結果に基づき、表示の調整に係る設定を受付けるための設定画面を、制御信号の信号強度が最も高いと判定した表示部に表示させるステップとを実行させることを特徴とする。
また、本発明に係る記録媒体は、前述したコンピュータプログラムが記録されていることを特徴とする。
【００２２】
本発明では、コンピュータに実行させるコンピュータプログラムにより、上記表示装置が備える各機能が実現される。
【発明の効果】
【００２３】
本発明によれば、ユーザが特に意識することなく、マルチディスプレイ装置の各種設定を行う設定画面が、ユーザに近いディスプレイ（表示部）に表示されるため、設定操作が容易となる。また、遠隔制御装置（リモートコントローラ）から発信される赤外線信号の強度（Ａ／Ｄ変換値）によって、ユーザに近いディスプレイを決定するため、カメラ、測距センサ等によってユーザ位置を検出する必要がなく、装置構成を単純化することができる。
【００２４】
また、本発明によれば、赤外線信号の強度（Ａ／Ｄ変換値）の順位を判定に使用することにより、ユーザの近傍に配置されたディスプレイを検出する精度を向上させることができる。
【００２５】
ユーザがディスプレイの近くで操作している場合は、設定画面を通常の大きさで表示しても、表示内容を十分に読み取ることが可能であるが、ユーザがディスプレイから離れた位置で操作している場合は、設定画面の文字が読みにくい場合がある。この場合、本発明によれば、自動的に設定画面を拡大表示するため、ユーザは文字の視認性が向上し、設定が容易になる。
【００２６】
ユーザが目の前のディスプレイに表示された設定画面で各項目を設定している間も、設定対象のディスプレイに現在設定中である旨を表示することにより、ユーザはどのマルチディスプレイ装置を構成するどのディスプレイを設定中であるのかを簡単に認識することができる。
また、マルチディスプレイ装置全体の輝度、色味といった調整を行う場合に、リモコン信号が受信できる範囲（７ｍ程度）離れたところから、全体を確認しながら調整することができるため、装置全体としての輝度、色味等の均一化を図ることが容易となる。
【図面の簡単な説明】
【００２７】
【図１】本実施の形態に係るマルチディスプレイ装置の構成を示す模式図である。
【図２】本実施の形態に係るマルチディスプレイ装置の全体構成を示すブロック図である。
【図３】受光部の動作を説明する図である。
【図４】信号強度判定部が実行する処理の手順を説明するフローチャートである。
【図５】デコード部が実行する処理の手順を説明するフローチャートである。
【図６】設定画面の表示例を説明する説明図である。
【図７】マルチディスプレイ装置の近傍に複数のユーザが存在する例を示す模式図である。
【図８】仕様規定を説明する模式図である。
【図９】信号強度判定部が実行する処理の手順を説明するフローチャートである。
【図１０】実施の形態３に係るマルチディスプレイ装置の動作を説明する説明図である。
【図１１】実施の形態４に係るマルチディスプレイ装置の動作を説明する説明図である。
【図１２】実施の形態５に係るマルチディスプレイ装置の動作を説明する説明図である。
【図１３】実施の形態６に係るマルチディスプレイ装置の動作を説明する説明図である。
【図１４】実施の形態７に係るマルチディスプレイ装置の動作を説明する説明図である。
【図１５】設定画面の表示例を示す模式図である。
【図１６】設定対象のディスプレイを明示した例を示す模式図である。
【図１７】設定画面の他の例を示す模式図である。
【発明を実施するための形態】
【００２８】
以下、本発明をその実施の形態を示す図面に基づいて具体的に説明する。
実施の形態１．
図１は本実施の形態に係るマルチディスプレイ装置の構成を示す模式図である。本実施の形態に係るマルチディスプレイ装置（表示装置）は、適宜の画面サイズを有する複数のディスプレイ（表示部）１０，１０，…，１０を有し、これらのディスプレイ１０，１０，…，１０が、ｍ×ｎのマトリクス状に接続されて構成されている。
このマルチディスプレイ装置は、各ディスプレイ１０がそれぞれの配置位置に応じて１つの画像のそれぞれ異なる部分を表示することにより、装置全体として１つの画像を表示することが可能なように構成されている。また、個々のディスプレイ１０に対して映像信号を送出することにより、それぞれのディスプレイ１０にて、他のディスプレイ１０から独立して映像（画像）を表示することが可能なように構成されている。
【００２９】
ディスプレイ１０は、例えば、液晶ディスプレイ、プラズマディスプレイ、有機ＥＬディスプレイ、ＣＲＴディスプレイ等の表示装置である。それぞれのディスプレイ１０は、遠隔制御を受付けるために、リモートコントローラ（以下、リモコンという）から発信される赤外線信号を受信するための受光部１１を備える。
各ディスプレイ１０は、受光部１１にて受信した赤外線信号をＡ／Ｄ変換し、Ａ／Ｄ変換した値を他のディスプレイ１０のＡ／Ｄ変換値と比較する。本実施の形態に係るマルチディスプレイ装置は、Ａ／Ｄ変換値が最も大きな値を示したディスプレイ１０の付近に、リモコンを操作しているユーザが存在すると判定し、そのディスプレイ１０をＯＳＤによる設定対象として決定する。
【００３０】
なお、本実施の形態では、図１に示すように、３×３個のディスプレイ１０，１０，…，１０をマトリクス状に配列したマルチディスプレイ装置について説明を行うものとするが、マルチディスプレイ装置に搭載されるディスプレイ１０の個数及び配列は、図１に示すものに限定されるものではなく、適宜の数のディスプレイ１０を任意の配列で接続することが可能である。
【００３１】
図２は本実施の形態に係るマルチディスプレイ装置の全体構成を示すブロック図である。マルチディスプレイ装置は、受光部１１、信号強度判定部１２、デコード部１３、ＯＳＤ処理部１４、スケーリング部１５、表示処理部１６、制御部１７、及び記憶部１８を備える。
本実施の形態においては、受光部１１及び信号強度判定部１２は、ディスプレイ１０毎に設けられ、デコード部１３、ＯＳＤ処理部１４、スケーリング部１５、制御部１７、及び記憶部１８は、マルチディスプレイ装置に対して１組だけ設けられるものとする。
【００３２】
各ディスプレイ１０の受光部１１は、ユーザのリモコン操作によりリモコンから発信される赤外線信号（リモコン信号）を受信する。受光部１１は、受信した赤外線信号を増幅した後、電圧に変換し、変換後の電圧信号を信号強度判定部１２及びデコード部１３へ送出する。
【００３３】
図３は受光部１１の動作を説明する図である。図３（ａ）のブロック図に示すように、受光部１１は、受光ダイオード１１１、アンプ１１２、バンドパスフィルタ１１３、検波器１１４、及び波形整形回路１１５により構成される。リモコンから発信される赤外線信号は、伝送される間に拡散して、その強度が低下するため、受光部１１では、赤外線受光素子である受光ダイオード１１１の出力をアンプ１１２により増幅する。
【００３４】
アンプ１１２により増幅された信号はバンドパスフィルタ１１３を通過する。このバンドパスフィルタ１１３は所望のキャリア周波数成分のみを抽出する。自然界には、赤外線のノイズ源が多数存在しているため、ノイズが存在する中で正しくリモコン信号の送受を行うためには、受信側においてノイズレベル以上となるような強度で赤外線を送信する必要がある。ただし、単純に赤外線の強度を上昇させた場合、大きな電力が必要となる。
【００３５】
そこで、図３（ｂ）の波形図に示すように、キャリア周波数で赤外線をオン／オフすることにより、赤外線オフの時間が存在するため、同じ電力を使用した場合であっても、赤外線の強度を上昇させることが可能となる。すなわち、キャリアを用いていない場合、ノイズと殆ど変わらない信号強度であったとしても、キャリアを用いてピーク電力のみを大きくした場合には、同じ電力を使用した場合であっても、赤外線の強度を高くすることができる。
また、キャリア周波数でオン／オフすることにより、受信時には、その周波数成分以外にフィルタを掛けて抽出することにより、ノイズに強い通信を行うことが可能となる。
【００３６】
受光部１１は、バンドパスフィルタ１１３を通過させることにより抽出したキャリア周波数成分を検波器１１４にて検波し、波形整形回路１１５にて波形整形を行うことにより、リモコン信号（電圧信号）を取得する。
【００３７】
図２に示す信号強度判定部１２は、自身の受光部１１から送られてくる電圧信号をＡ／Ｄ変換して数値化することにより、自身の受光部１１が受信した信号の信号強度を取得する。また、信号強度判定部１２は、ＲＳ−２３２Ｃなどの通信機能を有しており、他のディスプレイ１０と通信することにより、他のディスプレイ１０が受信した信号の信号強度を取得する。
【００３８】
信号強度判定部１２は、自身が受信した信号の信号強度と他のディスプレイ１０が受信した信号の信号強度とを比較する。信号強度判定部１２は、自身が受信した信号の信号強度が、他のディスプレイ１０にて受信した信号の信号強度の何れよりも高い場合、その旨を通知する信号（本実施の形態では、１ビットの信号で「１」とする）をＯＳＤ処理部１４及びデコード部１３へ送出する。一方、信号強度判定部１２は、自身が受信した信号の信号強度が、他のディスプレイ１０が受信した信号の信号強度の何れかより低い場合、その旨を通知する信号（本実施の形態では、１ビットの信号で「０」とする）をＯＳＤ処理部１４及びデコード部１３へ送出する。
【００３９】
図４は信号強度判定部１２が実行する処理の手順を説明するフローチャートである。信号強度判定部１２は、受光部１１から送出される信号を受信したか否かを判断する（ステップＳ１１）。受光部１１からの信号を受信していない場合（Ｓ１１：ＮＯ）、信号を受信するまで待機する。
【００４０】
受光部１１からの信号を受信した場合（Ｓ１１：ＹＥＳ）、信号強度判定部１２は、受信した信号をＡ／Ｄ変換し、信号強度であるＡ／Ｄ変換値を算出する（ステップＳ１２）。次いで、信号強度判定部１２は、他のディスプレイ１０と通信を行うことにより、他のディスプレイ１０にて受信した信号の信号強度（Ａ／Ｄ変換値）を取得し、ステップＳ１２で算出したＡ／Ｄ変換値と比較する（ステップＳ１３）。
【００４１】
次いで、信号強度判定部１２は、自身のＡ／Ｄ変換値が最大であるか否かを判断し（ステップＳ１４）、自身のＡ／Ｄ変換値が最大であると判断した場合（Ｓ１４：ＹＥＳ）、ＯＳＤ処理部１４及びデコード部１３に対して「１」の信号を送出する（ステップＳ１５）。
一方、自身のＡ／Ｄ変換値が最大でないと判断した場合、（Ｓ１４：ＮＯ）、信号強度判定部１２は、ＯＳＤ処理部１４及びデコード部１３に対して「０」の信号を送出する（ステップＳ１６）。
【００４２】
図５はデコード部１３が実行する処理の手順を説明するフローチャートである。デコード部１３は、信号強度判定部１２からの信号が「１」であるか否かを判断する（ステップＳ２１）。信号強度判定部１２からの信号が「１」でない場合（Ｓ２１：ＮＯ）、デコード部１３は処理を行わないので、本フローチャートによる処理を終了する。
【００４３】
信号強度判定部１２からの信号が「１」である場合（Ｓ２１：ＹＥＳ）、デコード部１３は、受光部１１から送出されるリモコン信号について、リーダコード、カスタムコード及びデータコードの解析を順次行い（ステップＳ２２〜Ｓ２４）、デコード処理を実行する。次いで、デコード部１３は、デコードしたデータをＯＳＤ処理部１４へ送出する（ステップＳ２５）。
【００４４】
ＯＳＤ処理部１４では、信号強度判定部１２からの信号が「１」の場合、当該ディスプレイ１０にＯＳＤ表示をする必要があるため、他のディスプレイ１０のＯＳＤ用設定値を取得すると共に、デコード部１３からのデータを受信する。デコード部１３からのデータにより、ユーザが指定した設定画面を準備し、表示処理部１６へ送信する。
一方、信号強度判定部１２からの信号が「０」の場合、当該ディスプレイ１０にはＯＳＤ表示を行う必要がないため、自身のＯＳＤ用設定値を要求に応じて他のディスプレイ１０へ送出する。
【００４５】
制御部１７は、各ディスプレイ１０を順に選択し、それぞれの信号強度判定部１２において信号強度の判定を行わせ、ＯＳＤ処理部１４及びデコード部１３にＯＳＤ用設定値、リモコンからの信号を入力するように制御を行う。
【００４６】
スケーリング部１５は、表示するディスプレイ１０の解像度に適合するように、入力画像を変倍する。表示処理部１６は、スケーリング部１５からの画像データに、ＯＳＤ処理部１４からのデータを展開し、１フレームの画像データとして出力し、ＯＳＤによる設定対象として決定したディスプレイ１０に、ＯＳＤの設定画面を表示する。
【００４７】
以上のように、本実施の形態では、マルチディスプレイ装置を構成する各々のディスプレイ１０のＯＳＤ（設定画面）を、ユーザの位置に近いディスプレイ１０に表示するため、ｍ×ｎの構成数が大きくなった場合でも、例えば、ユーザが上段のディスプレイ１０の設定のために高い位置に移動したり、水平方向に移動したりする必要がなくなり、調整以外の無駄な時間が発生しない。
【００４８】
図６は設定画面の表示例を説明する説明図である。各ディスプレイ１０に受光部１１を有するマルチディスプレイ装置においては、例えば、図６（ａ）のように、設定操作を行うユーザの身長によっては、ＯＳＤの設定画面を表示するディスプレイ１０が、３×３の中央になる場合がある。また、図６（ｂ）に示すように、設置調整中で脚立等に乗りながら作業を行っている場合には、３×３の最上段にＯＳＤの設定画面が表示される場合がある。
すなわち、本実施の形態では、各ディスプレイ１０に設けた受光部１１から得たＡ／Ｄ変換値を互いに比較して、Ａ／Ｄ変換値が最大となるディスプレイ１０にＯＳＤの設定画面を表示する構成としたので、ユーザにとって適切な位置のディスプレイ１０にＯＳＤの設定画面を表示することが可能となる。
【００４９】
また、マルチディスプレイ装置の近傍には、複数のユーザが存在する場合がある。図７はマルチディスプレイ装置の近傍に複数のユーザが存在する例を示す模式図である。本実施の形態では、ユーザの存在を検出せずに、リモコンから発信される赤外線信号の信号強度に基づいて、設定画面を提示すべきユーザに一番近いディスプレイ１０を特定する構成としている。このため、図７に示すように、リモコンを操作しているユーザ（ユーザ１）とリモコンを操作していないユーザ（ユーザ２及びユーザ３）とが存在する場合であっても、リモコンを操作しているユーザ１に一番近いディスプレイ１０に設定画面を表示することが可能となる。
【００５０】
また、図７において、リモコンを所持しているユーザがユーザ１及びユーザ２の２人であり、それぞれがリモコン操作を行った場合であったとしても、赤外線信号の強度が高い方のリモコン信号を優先して、設定画面を表示すべきディスプレイ１０を特定することにより、複数のユーザによる操作の競合を回避することが可能となる。
【００５１】
特に、ディスプレイ１０が液晶ディスプレイなどの視野角が比較的に狭いデバイスである場合には、ディスプレイ１０に向かってある程度角度がついた状態、すなわちユーザがディスプレイ１０に対して正面でなく、斜めの位置からディスプレイ１０の設定を行った場合、必然的に表示内容が見えにくくなる。このため、設定するユーザは、ディスプレイ１０の正面付近に立つと考えられる。
また、リモコン信号は、例えば、従来機種の場合、図８の模式図に示すように、仕様規定では±１０度、実測±４０度程度の範囲内で認識できることが知られている。しかしながら、受光部１１に対して角度がつくほど信号強度が落ちるため、信号強度のみを測定し、判定するだけで、設定操作を行っているユーザに近いディスプレイ１０を特定することが可能となる。
このような構成では、ユーザ位置の検出をする必要もなく、システム近傍に複数人いるユーザから設定ユーザを特定することが可能となる。
なお、リモコン信号の分布が広すぎで問題になる場合は、指向性の強い（拡散しにくい）リモコンを使用すればよい。
【００５２】
なお、本実施の形態では、マルチディスプレイ装置に対して、デコード部１３、ＯＳＤ処理部１４、及びスケーリング部１５を１組だけ備える構成について説明したが、それぞれのディスプレイ１０が、デコード部１３、ＯＳＤ処理部１４、及びスケーリング部を備えるものであってもよい。
【００５３】
実施の形態２．
実施の形態１では、各ディスプレイ１０に受光部１１を設ける構成としたが、一般的には、表示画面の周囲を覆うフレーム部分に受光部１１が設けられるため、フレームを挟んで左右（又は上下）の何れのディスプレイ１０がユーザに近いかを判定することが好ましい場合がある。そこで、実施の形態２では、Ａ／Ｄ変換値が最大のディスプレイ１０の周辺に配置されたディスプレイ１０のＡ／Ｄ変換値を調べ、Ａ／Ｄ変換値が最大及びその次に大きい受光部１１間に存在するディスプレイ１０を特定する構成について説明する。
なお、マルチディスプレイ装置の機能的構成及びハードウェア構成については、実施の形態１と全く同様であるため、その説明を省略することとする。
【００５４】
図９は信号強度判定部１２が実行する処理の手順を説明するフローチャートである。実施の形態２では、図１に示すように、各ディスプレイ１０の右側フレーム（ユーザから見て左側）に受光部１１が設けられているものとする。また、実施の形態２では、ディスプレイ１０の配置に係る情報が記憶部１８に記憶されているものとする。
【００５５】
信号強度判定部１２は、実施の形態１と同様の手順により、自身のＡ／Ｄ変換値が最大であるか否かを判断する（ステップＳ３１）。自身のＡ／Ｄ変換値が最大でない場合には（Ｓ３１：ＮＯ）、処理をステップＳ３１へ戻す。
【００５６】
自身のＡ／Ｄ変換値が最大と判断した場合には（Ｓ３１：ＹＥＳ）、信号強度判定部１２は、自身の左側にディスプレイ１０が存在するか否かを判断する（ステップＳ３２）。信号強度判定部１２は、予め記憶されたディスプレイ１０の配置に係る情報を記憶部１８から読み出すことにより、自身の左側にディスプレイ１０が存在するか否かを判断することができる。
自身の左側にディスプレイ１０が存在すると判断した場合（Ｓ３２：ＹＥＳ）、信号強度判定部１２は、左側のディスプレイ１０と通信を行い、左側のディスプレイ１０が受信した信号のＡ／Ｄ変換値を取得する（ステップＳ３３）。なお、自身の左側にディスプレイ１０が存在しないと判断した場合（Ｓ３２：ＮＯ）、信号強度判定部１２は、後述するステップＳ３４以降の処理を実行する。
【００５７】
次いで、信号強度判定部１２は、自身の右側にディスプレイ１０が存在するか否かを判断する（ステップＳ３４）。信号強度判定部１２は、予め記憶されたディスプレイ１０の配置に係る情報を記憶部１８から読み出すことにより、自身の右側にディスプレイ１０が存在するか否かを判断することができる。
自身の右側にディスプレイ１０が存在すると判断した場合（Ｓ３４：ＹＥＳ）、信号強度判定部１２は、右側のディスプレイ１０と通信を行い、右側のディスプレイ１０が受信した信号のＡ／Ｄ変換値を取得する（ステップＳ３５）。なお、自身の右側にディスプレイ１０が存在しないと判断した場合（Ｓ３４：ＮＯ）、信号強度判定部１２は、後述するステップＳ３６以降の処理を実行する。
【００５８】
次いで、信号強度判定部１２は、自身の左側及び右側のディスプレイ１０から取得したＡ／Ｄ変換値を比較し（ステップＳ３６）、自身の右側（ユーザ側から見て左側）のディスプレイ１０のＡ／Ｄ変換値が大きいか否かを判断する（ステップＳ３７）。
自身の右側（ユーザ側から見て左側）のディスプレイ１０のＡ／Ｄ変換値が大きいと判断した場合（Ｓ３７：ＹＥＳ）、ＯＳＤ処理部１４及びデコード部１３に対して「０」の信号を送出する（ステップＳ３８）。
一方、自身の左側（ユーザ側から見て右側）のディスプレイのＡ／Ｄ変換値が大きいと判断した場合、（Ｓ３７：ＮＯ）、信号強度判定部１２は、ＯＳＤ処理部１４及びデコード部１３に対して「１」の信号を送出する（ステップＳ３９）。
【００５９】
以上のように、実施の形態２では、Ａ／Ｄ変換値が最大のディスプレイ１０の周辺に存在するディスプレイ１０のＡ／Ｄ変換値を調べ、２番目にＡ／Ｄ変換値が大きいディスプレイ１０を探索し、Ａ／Ｄ変換値が１位と２位の間とに存在するディスプレイ１０をＯＳＤによる設定対象として決定することにより、ユーザに対して適切なディスプレイ１０を選択することができる。
【００６０】
実施の形態３．
上述した実施の形態では、各ディスプレイ１０がリモコンからの赤外線信号を受信する受光部１１を備える構成について説明したが、マルチディスプレイ装置を構成する複数のディスプレイ１０，１０，…，１０の一部が受光部１１を備える構成であってもよい。
【００６１】
実施の形態３では、マルチディスプレイ装置に対して１つだけ受光部１１が設けられた構成について説明する。図１０は実施の形態３に係るマルチディスプレイ装置の動作を説明する説明図である。図１０（ａ）に示すように、３×３の配列で配置されたディスプレイ１０のうち、ユーザから見て右側かつ中段に位置するディスプレイ１０の左端（ユーザから見て右端）に受光部１１が設けられているものとする。
【００６２】
マルチディスプレイ装置は、リモコン信号のＡ／Ｄ変換値によってＯＳＤによる設定対象のディスプレイ１０を決定するテーブル（図１０（ｂ）を参照）を備えるものとする。図１０（ｂ）に示すテーブルは、受信した信号のＡ／Ｄ変換値が小さい場合（Ａ／Ｄ変換によって得られる数値が０〜２５５とした場合、例えば０〜９５の範囲）において、ユーザから見て左側の列のディスプレイ１０（ディスプレイ番号１のディスプレイ）を選択することを規定している。同様に、受信した信号のＡ／Ｄ変換値が中程度の場合（９６〜１９１の範囲）、中央の列のディスプレイ１０（ディスプレイ番号２のディスプレイ）を選択し、受信した信号のＡ／Ｄ変換値が大きい場合（１９２〜２５５の範囲）、ユーザから見て右側の列のディスプレイ１０（ディスプレイ番号３のディスプレイ）を選択することを規定している。
マルチディスプレイ装置は、上記のようなテーブルを利用して、ＯＳＤによる設定対象のディスプレイ１０を決定する。
【００６３】
なお、上段、中段、下段の何れのディスプレイ１０を選択するかについては、マルチディスプレイ装置の設置位置等に応じて予め定めておけばよい。例えば、マルチディスプレイ装置が、ユーザの目線より高い位置に設置されている場合、下段のディスプレイ１０を選択し、マルチディスプレイ装置の中央付近がユーザの目線位置に設置されている場合、中段のディスプレイ１０を選択するようにテーブルにより規定すればよい。
【００６４】
図１０（ａ）において実線で示したように、受光部１１から離れた位置に存在するユーザが設定操作を行う場合、このユーザが操作するリモコンからの信号のＡ／Ｄ変換値は小さくなるため（例えば０〜９５の範囲とする）、マルチディスプレイ装置は、ユーザから見て左側中段のディスプレイ１０をＯＳＤによる設定対象のディスプレイ１０として決定する。
【００６５】
一方、図１０（ａ）において破線で示したように、受光部１１の近傍に存在するユーザが設定操作を行う場合、このユーザが操作するリモコンからの信号のＡ／Ｄ変換値は大きくなるため（例えば１９２〜２５５の範囲とする）、マルチディスプレイ装置は、ユーザから見て右側中段のディスプレイ１０をＯＳＤによる設定対象として決定する。
【００６６】
以上のように、実施の形態３では、選択するディスプレイ１０を下段又は中段に配置された何れかのディスプレイ１０に限定する必要があるという制約が生じるものの、実施の形態１と同様に、マルチディスプレイ装置は、ユーザの近傍にあるディスプレイ１０をＯＳＤによる設定対象として決定することが可能となる。
【００６７】
実施の形態４．
実施の形態４では、マルチディスプレイ装置に対して２つの受光部１１を設けた構成について説明する。
【００６８】
図１１は実施の形態４に係るマルチディスプレイ装置の動作を説明する説明図である。本実施の形態では、図１１（ａ）に示すように、３×３の配列で配置されたディスプレイ１０のうち、ユーザから見て右側かつ中段に位置するディスプレイ１０の左端側フレーム（ユーザから見て右端側のフレーム）に受光部１１ａ、ユーザから見て左側かつ中段に位置するディスプレイ１０の右端側フレーム（ユーザから見て左端側のフレーム）に受光部１１ｂが設けられているものとする。
【００６９】
この場合、マルチディスプレイ装置は、２つの受光部１１ａ，１１ｂで受信した信号の信号強度（Ａ／Ｄ変換値）を比較し、比較結果に基づいてＯＳＤによる設定対象のディスプレイ１０を決定することができる。例えば、図１１（ａ）に示すような位置から設定操作を行った場合、ユーザから見て左側の受光部１１ｂから得られたＡ／Ｄ変換値が、右側の受光部１１ａから得られたＡ／Ｄ変換値よりも大きくなるため、マルチディスプレイ装置は、ユーザから見て左側かつ中段に位置するディスプレイ１０を、ＯＳＤによる設定対象として決定する。
一方、図１１（ｂ）に示すような位置から設定操作を行った場合、ユーザから見て右側の受光部１１ａから得られたＡ／Ｄ変換値が、左側の受光部１１ｂから得られたＡ／Ｄ変換値よりも大きくなるため、マルチディスプレイ装置は、ユーザから見て右側かつ中段に位置するディスプレイ１０を、ＯＳＤによる設定対象として決定する。
また、２つの受光部１１ａ，１１ｂから得られたＡ／Ｄ変換値が同程度（例えば、Ａ／Ｄ変換値の差が２０％以内）の場合、マルチディスプレイ装置は、中央の列に配列された中段のディスプレイ１０を、ＯＳＤによる設定対象として決定する。
【００７０】
以上のように、実施の形態４では、実施の形態３と同様に、選択するディスプレイ１０を下段又は中段に配置された何れかのディスプレイ１０に限定する必要があるという制約が生じるものの、実施の形態１と同様に、マルチディスプレイ装置は、ユーザの近傍にあるディスプレイ１０をＯＳＤによる設定対象として決定することが可能となる。
【００７１】
実施の形態５．
実施の形態５では、マルチディスプレイ装置に対して３つの受光部１１を設けた構成について説明する。
【００７２】
図１２は実施の形態５に係るマルチディスプレイ装置の動作を説明する説明図である。本実施の形態に係るマルチディスプレイ装置は、図１２に示すように、ユーザから見て右側かつ下段に位置するディスプレイ１０の左端側フレーム（ユーザから見て右端側のフレーム）に配置された受光部１１ａ、ユーザから見て左側かつ下段に位置するディスプレイ１０の右端側フレーム（ユーザから見て左端側のフレーム）に配置された受光部１１ｂ、及び中央列の上段に位置するディスプレイ１０の上端側フレームに配置された受光部１１ｃを備える。
【００７３】
実施の形態４と同様に、マルチディスプレイ装置の右端及び左端に配置された受光部１１ａ，１１ｂのＡ／Ｄ変換値を比較することにより、左右方向を特定することができる。また、同様にして、マルチディスプレイ装置の上端及び右端（又は左端）に配置された受光部１１ｃ，１１ｂ（又は１１ａ）のＡ／Ｄ変換値を比較することにより、上下方向を特定することができる。
【００７４】
実施の形態５では、実施の形態３及び４と異なり、上下方向を予め中段又は下段に設定する必要がなく、３つの受光部１１ａ，１１ｂ，１１ｃから得られたＡ／Ｄ変換値を互いに比較することにより、左右方向及び上下方向を特定することにより、ユーザの近傍にあるディスプレイ１０を特定することが可能となる。
【００７５】
実施の形態６．
設定操作を行うユーザがマルチディスプレイ装置の近傍位置にいるか、マルチディスプレイ装置から離隔した位置にいるかを検出し、ユーザの位置に応じて、設定画面を表示する際の縮尺を変更する構成としてもよい。
実施の形態６では、設定操作を行うユーザがマルチディスプレイ装置の近傍に存在する場合、通常の縮尺でＯＳＤによる設定画面を表示し、設定操作を行うユーザがマルチディスプレイ装置から離隔した位置に存在する場合、通常の縮尺より拡大してＯＳＤによる設定画面を表示する構成について説明する。
【００７６】
図１３は実施の形態６に係るマルチディスプレイ装置の動作を説明する説明図である。本実施の形態に係るマルチディスプレイ装置は、リモコン信号の強度を表すＡ／Ｄ変換値に関して、例えば、図１３（ｃ）に示すように、Ａ／Ｄ変換値の範囲と設定画面を表示する際の縮尺との関係を定めたテーブルを記憶部１８に記憶しておく。検出したリモコン信号から得たＡ／Ｄ変換値とテーブルにより規定されたＡ／Ｄ変換値の範囲とを比較し、何れの範囲に属しているかを判断することにより、設定画面を表示する際の縮尺を定める。すなわち、ユーザとマルチディスプレイ装置との間の距離を、リモコン信号の強弱により判定し、その強弱に応じて設定画面の縮尺を定める。
【００７７】
判定対象のユーザがマルチディスプレイ装置の近傍にいる場合（Ａ／Ｄ変換値が９６以上の場合）には、図１３（ａ）に示すように、設定画面の拡大表示を行わずに、通常の縮尺で設定画面を表示する。一方、判定対象のユーザがマルチディスプレイ装置から離隔した位置（Ａ／Ｄ変換値が９５以下となった場合）、図１３（ｂ）に示すように、設定画面を表示する際に、設定画面の画像を２００％に拡大して表示を行う。
【００７８】
以上のように、実施の形態６では、ユーザがマルチディスプレイ装置の近傍にいるか、離隔した位置に存在するかを判別して、ＯＳＤの画面の縮尺を設定するため、ユーザが意識しなくても、視認しやすい表示を提供することができる。
なお、本実施の形態では、ユーザがマルチディスプレイ装置の近傍にいる場合、通常の縮尺とし、離隔した位置に存在する場合、設定画面の縮尺を２００％としたが、設定画面の縮尺は上記に限定されるものではなく、Ａ／Ｄ変換値に応じて更に細かく縮尺を設定する構成としてもよい。
【００７９】
実施の形態７．
上述した実施の形態では、受光部１１で受信した信号の信号強度に基づき、ＯＳＤの設定画面を表示するディスプレイ１０を決定し、設定操作を行うユーザに最も近いディスプレイ１０に設定画面を表示する構成としたが、表示設定の設定対象のディスプレイ１０と設定画面を表示するディスプレイ１０とは必ずしも一致している必要はなく、上述のようにリモコン信号のＡ／Ｄ変換値に基づいて決定したディスプレイ１０に対し、設定対象を適宜選択できるようにしてもよい。
【００８０】
図１４は実施の形態７に係るマルチディスプレイ装置の動作を説明する説明図である。図１４（ａ）に示すように、各ディスプレイ１０にはディスプレイ番号が割り当てられているものとする。例えば、最上段の３つのディスプレイ１０，１０，１０には、ユーザから見て左端側から＃１〜＃３のディスプレイ番号が割り当てられ、同様に、中段の３つのディスプレイ１０，１０，１０には、＃４〜＃６、下段の３つのディスプレイ１０，１０，１０には、＃７〜＃９のディスプレイ番号が割り当てられているものとする。
【００８１】
また、実施の形態１と同様の手法を用いてＡ／Ｄ変換値が最大となったディスプレイ１０が、ディスプレイ番号＃４のディスプレイ１０であったとする。このとき、ＯＳＤの設定画面は、ディスプレイ番号＃４のディスプレイ１０に表示される。  この設定画面による設定対象は、図１４（ｂ）に示すように、ディスプレイ番号＃４のディスプレイ１０であってもよく、図１４（ｃ）に示すように、基準ディスプレイ（例えば、ディスプレイ番号＃５で示される中央のディスプレイ１０）であってもよい。また、図１４（ｄ）に示すように、ディスプレイ番号が一番小さい最上段左端のディスプレイ１０を設定対象とするものであってもよい。
このように、設定対象のディスプレイ１０を適宜選択し、そのディスプレイ１０に対する設定画面を、Ａ／Ｄ変換値が最大となったディスプレイ１０に表示する構成とすることができる。表示設定の設定対象のディスプレイ１０と設定画面を表示するディスプレイ１０とが異なる場合には、予め設定対象のディスプレイ１０に対する設定値を受信しておくことにより、そのディスプレイ１０に対する設定画面を表示することが可能となる。
【００８２】
また、リモコンの操作により、設定対象のディスプレイ１０を順次変更できるように構成することも可能である。図１５は設定画面の表示例を示す模式図である。マルチディスプレイ装置にて受信したリモコン信号のＡ／Ｄ変換値が最大となったディスプレイ１０のディスプレイ番号が＃７であり、このディスプレイ番号のディスプレイ１０に対する表示設定を行う設定画面を図１５（ａ）に示す。図１５（ａ）に示した例では、ディスプレイ番号が＃７である旨を表示し、設定項目として、輝度、コントラスト等が含まれていることを示している。
また、本実施の形態に係るマルチディスプレイ装置では、設定対象のディスプレイ１０のディスプレイ番号、及び各設定項目における設定値を、ユーザのリモコン操作により変更できるように構成している。このため、本実施の形態では、設定対象のディスプレイ１０のディスプレイ番号を変更することにより、１つのディスプレイ１０において、マルチディスプレイ装置が有する全てのディスプレイ１０，１０，…，１０の設定値を調整することができる。
【００８３】
また、基準ディスプレイが設定されている場合には、図１５（ｂ）に示すように、その基準ディスプレイにおける設定値を参照値として表示すると共に、設定対象のディスプレイ１０の設定値を表示する構成としてもよい。
この場合、基準ディスプレイの設定値から＋１又は−１といった形で微調整させる構成とすることにより、単に、数値を入力するよりも分かりやすい操作系統とすることが望ましい。これにより、ディスプレイ間の輝度や色味のバランスを確認しながら、調整を行い易くすることが可能となる。
【００８４】
更に、設定項目毎にページを分けて、各ページに各ディスプレイ１０の設定値を表示する構成としてもよい。例えば、「輝度」という項目に対して、ディスプレイ番号＃１〜＃９のディスプレイ１０に対する設定値を表示することも可能である。また、各設定項目の表示が見えにくい場合は、スクロールするような形で表示する構成としてもよい。
【００８５】
なお、実施の形態７では、リモコン操作によってディスプレイ番号を変更することにより、設定対象を変更することができるため、ＯＳＤの設定画面を表示しているディスプレイ１０と、設定対象として指定したディスプレイ１０とが相違している場合がある。このため、設定対象のディスプレイ１０を明示する表示を行ってもよい。
【００８６】
図１６は設定対象のディスプレイ１０を明示した例を示す模式図である。例えば、設定画面を表示するディスプレイ（Ａ／Ｄ変換値が最大となったディスプレイ）が、ディスプレイ番号＃７のディスプレイ１０ａであり、設定対象として指定したディスプレイが、ディスプレイ番号＃２のディスプレイ１０ｂであったとした場合、図１６に示すように、ディスプレイ番号＃２のディスプレイ１０ｂに対して「表示設定中」との文字表示を行うことにより、現在設定中の該当ディスプレイであることを明示する。
これにより、設定中のディスプレイ１０ｂを他のディスプレイから区別して表示することができるため、ユーザから見てどのディスプレイが対象のディスプレイ１０ｂであるかが一目瞭然となり、設定の容易性が向上する。
【００８７】
なお、本実施の形態では、「表示設定中」との文字情報を表示することにより、設定中のディスプレイ１０ｂを明示する構成としたが、文字情報を表示する代わりに、適宜の画像を表示したり、画面の表示色、輝度等を変更することにより、他のディスプレイから区別できるように表示する構成としてもよい。
【００８８】
以上の実施の形態１〜７では、タッチパネルにより情報を入力するのではなく、リモコンを用いて設定操作を行うユーザを判定し、設定操作を受付ける構成となっているため、マルチディスプレイ装置から離れた場所からでも、設定対象のディスプレイ１０がどこに位置しているかを認識し易いため、ユーザによる設定作業が容易になる。また、マルチディスプレイ装置から離れた場所からＯＳＤの設定を行うことにより、各ディスプレイ間の調和をとりながら、各ディスプレイに適切な設定値を選択することが可能となる。
【００８９】
例えば、現状のリモコンの使用規定では、リモコン信号の到達距離が７ｍ、受光部１１正面から±１０度の範囲であるため、このような距離範囲であれば、マルチディスプレイ装置から離れて、各画面を確認しながら設定することが可能となる。
【００９０】
なお、実測では、受光部１１からの距離が１０ｍ程度、かつ受光部１１正面から±４０度程度でもリモコン信号を認識することが可能であるが、マルチディスプレイ装置においては、マルチディスプレイ装置からのユーザの距離と文字の視認性とがトレードオフになる。
【００９１】
図１７は設定画面の他の例を示す模式図である。マルチディスプレイ装置の各ディスプレイ１０に対する設定を行う際、図１７（ａ）に示すように、１つのディスプレイ１０に対する設定画面を表示するだけでなく、図１７（ｂ）に示すように、複数のディスプレイ１０，１０，…，１０に対する設定画面を表示することにより、他のディスプレイ１０の設定値を参照しながら、設定する構成としてもよい。
【００９２】
また、図１７（ａ）に示す通常の設定画面と、一覧により示した図１７（ｂ）の設定画面とを選択又は切り替え可能なように構成してもよい。この場合、例えば、図１７（ｂ）の一覧表から設定対象のディスプレイ１０を選択した場合、図１７（ａ）に示す通常の設定画面の表示を行い、選択されたディスプレイ１０に対する設定画面を表示する構成とすればよい。これにより、設置場所やマルチディスプレイ装置の構成、あるいはユーザの意向により、状況に合った表示が可能となる。
【００９３】
実施の形態８．
本発明はコンピュータに実行させるためのプログラムを記録したコンピュータ読み取り可能な記録媒体に、前記したマルチディスプレイ装置の調整方法を記録するものとすることもできる。この結果、前記処理を行うプログラムコード（実行形式プログラム、中間コードプログラム、ソースプログラム）を記録した記録媒体を持ち運び自在に提供することができる。
【００９４】
なお、本実施の形態では、この記録媒体としては、マイクロコンピュータで処理が行われるために図２に示す記憶部１８が本願発明の記録媒体であってもよい。また、図示していない外部記憶装置としてプログラム読取装置が設けられ、そこに記録媒体を挿入することで読取可能なプログラムメディアであっても良い。
【００９５】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【００９６】
ここで、前記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
前記記録媒体は、画像表示装置やコンピュータシステムに備えられるプログラム読取装置により読み取られることで上述したマルチディスプレイ装置の各機能が実現される。  
【符号の説明】
【００９７】
１０  ディスプレイ
１１  受光部
１２  信号強度判定部
１３  デコード部
１４  ＯＳＤ処理部
１５  スケーリング部
１６  表示処理部
１７  制御部
１８  記憶部
【図１】
2013130646.tif 000003
【図２】
2013130646.tif 000004
【図３】
2013130646.tif 000005
【図４】
2013130646.tif 000006
【図５】
2013130646.tif 000007
【図６】
2013130646.tif 000008
【図７】
2013130646.tif 000009
【図８】
2013130646.tif 000010
【図９】
2013130646.tif 000011
【図１０】
2013130646.tif 000012
【図１１】
2013130646.tif 000013
【図１２】
2013130646.tif 000014
【図１３】
2013130646.tif 000015
【図１４】
2013130646.tif 000016
【図１５】
2013130646.tif 000017
【図１６】
2013130646.tif 000018
【図１７】
2013130646.tif 000019